(57)【特許請求の範囲】
【請求項１】
複数の移動式のパネルを有する間仕切体において、少なくとも一つの前記パネルが折戸であり、
前記折戸は、複数の折戸板が互いに蝶番で接続されて、幅方向に折り畳み可能に構成されており、
前記パネルを移動可能に支持するレールを有し、複数の前記折戸板のうち一つが前記レールに支持され、他が前記レールに支持されておらず、
複数の前記折戸板のうち前記レールに支持された折戸板がバランスウェイトを有する間仕切体。
【請求項２】
平行に配置された複数の前記レールを有し、一方の側にのみ前記レールが隣接する外側レールに前記折戸が支持され、前記折戸は、前記外側レールからみて前記レールが配置される側と反対側に折り畳まれるよう構成されている請求項１に記載の間仕切体。
【請求項３】
前記折戸の一方の面が掲示物を取り付ける掲示面とされており、前記折戸が前記掲示面を内側にして折り畳まれるよう構成されている請求項１又は２に記載の間仕切体。
【発明の詳細な説明】
【技術分野】
【０００１】
本発明は、複数の移動式のパネルを有する間仕切体に関する。
【背景技術】
【０００２】
学校の校舎を教室と廊下に仕切ったり、複数の教室に仕切ったりするために間仕切体が用いられる。
【０００３】
近年、教室の間仕切体のすべてを建具とし、大開口を形成することができる多連引戸とする例が増加している（特許文献１の図４参照）。
【先行技術文献】
【特許文献】
【０００４】
【特許文献１】特開２００８−６９５５９号公報
【発明の概要】
【発明が解決しようとする課題】
【０００５】
開口を大きくするためには、引戸一枚あたりの幅を狭くすることが考えられる。しかし、引戸の枚数の増加に伴い、引戸をスライドさせるためのレールの本数が増加するため、枠見込寸法が大きくなり全体としてコストが上がってしまう。
【０００６】
本発明は上記実情に鑑みてなされたものであって、従来より小さな枠見込でありながら、大きな開口が得られる間仕切体を提供することを目的とする。
【課題を解決するための手段】
【０００７】
上述の目的を達成するための、本発明に係る間仕切体の特徴構成は、
複数の移動式のパネルを有する間仕切体において、少なくとも一つの前記パネルが折戸であり、
前記折戸は、複数の折戸板が互いに蝶番で接続されて、幅方向に折り畳み可能に構成されており、
前記パネルを移動可能に支持するレールを有し、複数の前記折戸板のうち一つが前記レールに支持され、他が前記レールに支持されておらず、
複数の前記折戸板のうち前記レールに支持された折戸板がバランスウェイトを有する点にある。
【０００８】
上記の構成によれば、折戸であるパネルを折り畳むことにより、折戸でない場合より大きな開口を形成することができる。なお、本明細書において、折戸とは、折り畳むことができるパネルをいう。
【０００９】
ここで、折戸とは蝶番で止められた部分を軸に弧を描き開き戸のように開閉するパネルであり、複数の移動式パネルのうち折戸を構成するパネルが折戸板である。蝶番で接続された折戸板を蝶番部分において折り畳むことにより折戸の幅が、折り畳んでいないときよりも狭くなるため、結果として開口は広くなる。
【００１０】
従来の多連引戸においては、引戸一枚あたりに上下それぞれに一条のレール対が必要であった。これに対して、上述の構成によると、複数枚の折戸板に対して一条のレール対があればよいため、レールの総本数を少なくすることができる。従来の多連引戸と比較して、同じ開口幅であっても、レールの本数を減らすことができ、枠見込みが小さくなる。
【００１１】
レールに支持されていない折戸板は、レールとの間に隙間を有する。したがって、折戸を開いた状態であるときには、レールに支持されていない折戸板の重みにより、折戸には、レールに支持されていな折戸板を下方に移動させ、レールに支持されている折戸板を上方に移動させるようなモーメントが発生する。レールに支持されている折戸板にバランスウェイトを有することにより、相対的にモーメントの影響を減らし、折戸が傾くことを抑制することができる。
【００１３】
本発明においては、平行に配置された複数の前記レールを有し、一方の側にのみ前記レールが隣接する外側レールに前記折戸が支持され、前記折戸は、前記外側レールからみて前記レールが配置される側と反対側に折り畳まれるよう構成されていると好適である。
【００１４】
上述の構成により、折戸を折り畳んだときに、折り畳まれた折戸板が、他のレールに支持されている引戸と干渉することがない。
【００１７】
本発明においては、前記折戸の一方の面が掲示物を取り付ける掲示面とされており、前記折戸が前記掲示面を内側にして折り畳まれるよう構成されていると好適である。
【００１８】
折戸を学習者の作品や連絡事項等の掲示物を掲示するための掲示板として利用することにより、普段は多くの掲示物を掲示することができる掲示板でありながら、間仕切体の利用目的に応じて、折り畳むことにより大開口を確保することができる。また、掲示物の掲示面を内側にして折り畳むことにより、掲示物の保護を図ることもできる。なお、折り畳まれた折戸板の対向面間の隙間は１０ｍｍ程度であることが好ましい。
【００１９】
従来の多連引戸を掲示板として利用すると、掲示板一枚当たり掲示物の取付可能面積が狭くなる。開口形成時に折り畳むことができる折戸を一枚の大きな掲示板とみなすことにより、掲示板一枚当たり掲示物の取付可能面積を十分に確保しながらも、開口形成時には折り畳む構成としたことにより多連引戸の本来の機能目的である有効開口幅を確保することができる。
また、隣り合う引戸は隣り合うレールに支持されるため、隣り合う掲示板に段差ができてしまう。上述のように折戸に掲示面を構成することにより、段差を無くすことができる。
【図面の簡単な説明】
【００２０】
【図１】本発明の間仕切体の正面図であって閉鎖時の説明図である。
【図２】本発明の間仕切体の平断面図であって閉鎖時の説明図である。
【図３】本発明の間仕切体の正面図であって開放時の説明図である。
【図４】本発明の間仕切体の平断面図であって開放時の説明図である。
【発明を実施するための形態】
【００２１】
以下に本発明の実施形態を図面に基づいて説明する。
図１及び図２は、間仕切体の一例として、例えば学校の校舎に設けられる間仕切体１０を示している。間仕切体１０は、中央の二枚の壁板部１，２の左右にそれぞれ引き違い戸３，４を有し、図１において、手前の空間と奥の空間とを間仕切るとともに、引き違い戸３，４を介して人（例えば、学習者や教員等）の往来が可能となっている。中央の壁板部１，２は、図１における紙面手前側が、学習者の作品や、各種連絡事項等の掲示物を掲示するための掲示面を有し、掲示板として利用される。
【００２２】
間仕切体１０は、一対のたて枠５，６と、一対のたて枠５，６間に配設された無目８及び下枠９からなる引戸枠部材のうち、無目８に配設された複数条の並列した案内レール１１ａ〜１１ｃと、案内レール１１ａ〜１１ｃに対応するように下枠９に配設された複数条の並列した走行レール１２ａ〜１２ｃとに沿って移動可能に配設された多連引戸構造となっている。一対のたて枠５，６の間にたて枠及び壁部を設けずに、間仕切体１０を必要に応じて移動可能に構成することにより、図３及び図４に示すように、手前の空間と奥の空間とを連ねて広い開口面積を取ることができるように構成されている。なお、上枠７及び無目８との間において、一対のたて枠５，６の間には適宜たて枠が配設され、それらたて枠と上枠７及び無目８とからなる窓枠部材には、明り取りの窓１３が配設されている。
【００２３】
案内レール１１ａ〜１１ｃ及び走行レール１２ａ〜１２ｃはそれぞれ金属材料を曲げ加工や押し出し加工することにより形成された直線状のレール部材である。
壁板部１，２及び引き違い戸３，４は、それぞれの下部に適宜配設された戸車を介して走行レール１２ａ〜１２ｃ上をスライド可能となっている。その際、壁板部１，２及び引き違い戸３，４は、それぞれの上部に適宜配設された滑車が案内レール１１ａ〜１１ｃ内をスライドする。
【００２４】
なお、壁板部１，２及び引き違い戸３，４は、上部に配設された滑車を介して案内レール１１ａ〜１１ｃに吊設される構成であってもよい。この場合、走行レール１２ａ〜１２ｃは必ずしも必要ない。
【００２５】
引き違い戸３は、左開きの戸体３ａと右開きの戸体３ｂとから構成され、戸体３ａ及び３ｂには窓１４が配設されている。
【００２６】
引き違い戸４は、右開きの戸体４ａと左開きの戸体４ｂとから構成され、戸体４ａ及び４ｂには窓１５が配設されている。
【００２７】
引き違い戸３，４のうち、戸体３ａ，４ａは案内レール１１ａ及び走行レール１２ａ間に配設され、無目８及び下枠９に沿ってスライド可能となっている。また、戸体３ｂ，４ｂは案内レール１１ｂ及び走行レール１２ｂの間に配設され、無目８及び下枠９に沿ってスライド可能となっている。
【００２８】
壁板部１，２はそれぞれ案内レール１１ｃ及び走行レール１２ｃの間に配設されている。
【００２９】
壁板部１は二枚の折戸板１ａ，１ｂをそれらの扉小口面に取り付けた蝶番１６によって接続した折戸となっている。これにより、壁板部１は蝶番１６により止められた部分を軸に弧を描き開き戸のように幅方向に折り畳みが可能である。
【００３０】
壁板部２は二枚の折戸板２ａ，２ｂをそれらの扉小口面に取り付けた蝶番１７によって接続した折戸となっている。これにより、壁板部２も蝶番１７により止められた部分を軸に弧を描き開き戸のように幅方向に折り畳みが可能である。
【００３１】
折戸板１ｂ，２ｂの重量と開き角の確保を考慮し、蝶番１６，１７には折戸板１ｂ，２ｂの高さ寸法と同じ長さの長蝶番を採用している。なお、折り畳まれた折戸板１ａ，１ｂ及び折戸板２ａ，２ｂの対向面間の隙間は１０ｍｍ程度に設定されている。
【００３２】
各折戸板１ａ，１ｂ、２ａ、２ｂには、折り畳んだときに対向する箇所に、ボールキャッチ機構を構成するボール部１８，１９とキャッチ部２０，２１とがそれぞれ割り振られて複数取り付けられており、壁板部１，２を折り畳んだときにボールキャッチ機構により折り畳み状態が固定される。
【００３３】
本実施形態においては、折戸板１ａ，２ａが案内レール１１ｃ及び走行レール１２ｃに支持され、折戸板１ｂ，２ｂは、案内レール１１ｃ及び走行レール１２ｃに支持されていない。壁板部１，２のうち少なくとも折戸板１ｂ，２ｂにはそれぞれ上げ落とし式の棒状の金具を、案内レール１１ｃないし無目８に配設された受金に係合させる構成の係合部材、いわゆるフランス落とし２２，２３が適宜配設され、金具と受金とを係合させることにより壁板部１，２は案内レール１１ｃ及び走行レール１２ｃに対してスライド不可能に固定され、金具と受金との係合を解除することにより壁板部１，２は、それぞれ図１の紙面手前側、すなわち掲示面を内側にして折り畳むことができ、かつ、無目８及び下枠９に沿ってスライド可能となっている（図３及び図４参照）。
【００３４】
このように、壁板部１，２を折戸とし、必要に応じて折り畳む構成であるため、折戸でない構成である場合より大きな開口を形成することができる。その際、折戸板１ｂ、２ｂを蝶番１６，１７部分において折り畳むことにより壁板部１，２の幅が、折り畳んでいないときよりも狭くなるため、結果として開口は広くなる。
【００３５】
従来の多連引戸においては、引戸一枚あたりに一条のレール対が必要であったため四枚の折戸板１ａ，１ｂ、２ａ，２ｂに対して二条のレール対が必要であった。これに対して、本発明による間仕切体１０によると、四枚の折戸板１ａ，１ｂ、２ａ，２ｂに対して一条の案内レール１１ｃ及び走行レール１２ｃがあればよいため、レールの総本数を少なくすることができる。従来の多連引戸と比較して、同じ開口幅であっても、レールの本数を減らすことができ、枠見込みが小さくなる。
【００３６】
なお、折戸である壁板部１，２を構成する折戸板１ａ，１ｂ、２ａ，２ｂのうち、レールに支持されていない折戸板１ｂ，２ｂの幅は、案内レール１１ｃ及び走行レール１２ｃに支持された折戸板１ａ，２ａの幅以下であると好ましい。
【００３７】
壁板部１，２を折り畳んだときに、折り畳まれた折戸板１ｂ，２ｂが、他の案内レール１１ａ，１１ｂ及び走行レール１２ａ，１２ｂに支持されている引き違い戸３，４と干渉することがない。
【００３８】
なお、折戸板１ａ，２ａは、内部の下方にはバランスウェイト２４，２５が配設されている。バランスウェイト２４，２５は金属板等から構成され、折戸板１ａ，２ａの内部に配設可能な厚みでありながらも、折戸板１ａ，２ａに対してバランスウェイトとして機能するだけの重みがあるものが採用される。
【００３９】
折戸板１ａ，１ｂ、２ａ，２ｂを開いた状態であるときには、案内レール１１ｃ及び走行レール１２ｃに支持されている折戸板１ａ，２ａには、案内レール１１ｃ及び走行レール１２ｃに支持されていない折戸板１ｂ，２ｂの荷重により、折戸板１ａ，２ａのうち折戸板１ｂ，２ｂから遠い方の戸車が走行レール１２ｃから浮き上がり、かつ、折戸板１ｂ，２ｂのうち折戸板１ａ，２ａから遠い方の角が走行レール１２ｃに接触するような方向に、折戸板１ａ，１ｂ、２ａ，２ｂを傾けるモーメントが発生する。折戸板１ａ，２ａの、内部にバランスウェイト２４，２５を配設することにより、相対的にモーメントの影響を減らし、折戸板１ａ，１ｂ、２ａ，２ｂが傾くことを抑制することができる。
【００４０】
折戸を壁板部１，２として利用することにより、普段は多くの掲示物を掲示することができる掲示板でありながら、間仕切体１０の利用目的に応じて、折り畳むことにより大開口を確保することができる。掲示物の掲示面を内側にして折り畳むことにより、掲示物の保護を図ることもできる。
【００４１】
従来の多連引戸を掲示板として利用すると、掲示板一枚当たり掲示物の取付可能面積が狭くなる。開口形成時に折り畳むことができる折戸を一枚の大きな掲示板とみなすことにより、掲示板一枚当たり掲示物の取付可能面積を十分に確保しながらも、開口形成時には折り畳む構成としたことにより多連引戸の本来の機能目的である有効開口幅を確保することができる。
【００４２】
また、隣り合う引戸は隣り合うレールに支持されるため、隣り合う掲示板に段差ができてしまう。上述のように折戸に掲示面を構成することにより、段差を無くすことができる。
【００４３】
上述の実施形態においては、間仕切体１０は、中央の二枚の壁板部１，２の左右にそれぞれ引き違い戸３，４を有する構成について説明したが、これに限らない。
間仕切体１０に引き違い戸を備えず、間仕切体１０を構成するパネルのすべてが折戸である壁板部であってもよい。
【００４４】
また、間仕切体１０は、壁板部と引き違い戸とを一つずつ備えた構成であってもよいし、三以上の複数ずつ備えた構成であってもよい。例えば、引き違い戸を一つ備え、壁板部を五つ備えた構成であってもよい。
【産業上の利用可能性】
【００４５】
本発明は、壁板部は掲示板として利用されない、通常のパネルにも適用できる。
【符号の説明】
【００４６】
１        ：壁板部（パネル，折戸）
１ａ      ：折戸板
１ｂ      ：折戸板
２        ：壁板部（パネル，折戸）
２ａ      ：折戸板
２ｂ      ：折戸板
３        ：引き違い戸（パネル）
４        ：引き違い戸（パネル）
１０      ：間仕切体
１１      ：案内レール（レール）
１２      ：走行レール（レール）
１６      ：蝶番
１７      ：蝶番
２４      ：バランスウェイト
２５      ：バランスウェイト
【図１】
0006703886.tif 000002
【図２】
0006703886.tif 000003
【図３】
0006703886.tif 000004
【図４】
0006703886.tif 000005